【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
階層化通信モデルを用いてデータを送信する送信方法であって、
第１層において、第１エンティティを参照する第１アドレス参照を有する第１暗号法的保護された通信フラグメントを発生するステップと、
前記第１層の下の第２層において、前記第１通信フラグメントに基づくと共に更に前記第１エンティティに関連する第２エンティティを参照する第２アドレス参照を有する第２通信フラグメントを発生するステップと、
前記第２通信フラグメントを有するデータを送信するステップと、
を有する送信方法において、
当該送信方法が、
送信される前記データにおいて前記第１アドレス参照を少なくとも一部取り除くステップ
を更に有し、暗号法的保護が、前記第１アドレス参照が少なくとも一部取り除かれる前に、前記第１通信フラグメントに関して提供されることを特徴とする送信方法。
【請求項２】
請求項１に記載の送信方法であって、暗号法的保護が、前記通信モデルにおける１つの層においてのみ提供される送信方法。
【請求項３】
請求項２に記載の伝送方法であって、前記１つの層が、前記メッセージが開始される層に等しい送信方法。
【請求項４】
請求項１に記載の送信方法であって、前記第１アドレス参照が、前記第２アドレス参照を参照する情報フィールドによって置き換えられる送信方法。
【請求項５】
階層化通信モデルを用いてデータを受信する受信方法であって、
第１エンティティに関連する第２エンティティを参照する第２アドレス参照を有すると共に、
前記第１エンティティに対する第１アドレス参照を有する第１暗号法的保護された通信フラグメントに基づく
第２通信フラグメントを有するデータを受信するステップと、
前記第２通信フラグメントから前記第１通信フラグメントを取得するステップと、
を有する受信方法において、
前記第１アドレス参照が、受信された前記データにおいて少なくとも一部省かれ、
前記受信方法が、前記第１通信フラグメントを取得する際に前記第１アドレス参照を修復するステップを更に有し、前記第１通信フラグメントの暗号法的保護が、前記第１アドレス参照が取得された後に確認される
ことを特徴とする受信方法。
【請求項６】
請求項５に記載の受信方法であって、暗号法的保護が、前記通信モデルにおける１つの層のみにおいて提供される受信方法。
【請求項７】
請求項６に記載の受信方法であって、前記１つの層が、前記メッセージが開始される層に等しい受信方法。
【請求項８】
請求項５に記載の受信方法であって、当該受信方法が、受信された前記データにおける情報フィールドを用いて前記第１アドレス参照を取得する受信方法であって、前記情報フィールドが、前記第１アドレス参照を置き換えると共に前記第２アドレス参照を参照する受信方法。
【請求項９】
階層化通信モデルを用いて通信するシステムであって、
第１層において、第１エンティティを参照する第１アドレス参照を有する第１暗号法的保護された通信フラグメントを発生するように構成されると共に、
前記第１層の下の第２層において、前記第１通信フラグメントに基づくと共に前記第１エンティティに関連する第２エンティティを参照する第２アドレス参照を更に有する第２通信フラグメントを発生するように構成される
送信手段と、
前記第２通信フラグメントを有するデータを送信するように構成される通信手段と、
前記第２通信フラグメントを有するデータを受信するように構成されると共に、
前記第２通信フラグメントから前記第１通信フラグメントを取得するように更に構成される
受信手段と
を有するシステムにおいて、
前記送信手段が、前記送信データから前記第１アドレス参照を少なくとも一部省くように構成され、
前記受信手段が、前記受信データから前記第１通信フラグメントを取得する際に前記第１アドレス参照を修復するように構成される
ことを特徴とするシステム。
【請求項１０】
階層化通信モデルを用いてデータを送信する送信器装置であって、
第１層において、第１エンティティを参照する第１アドレス参照を有する第１暗号法的保護された通信フラグメントを発生するように構成され、
更に、前記第１層の下の第２層において、前記第１通信フラグメントに基づくと共に、前記第１エンティティに関連する第２エンティティを参照する第２アドレス参照を更に有する、第２通信フラグメントを発生するように構成され、
更に、前記第２通信フラグメントを有するデータを送信するように構成される
送信器装置において、
当該送信器装置が、送信される前記データにおける前記第１アドレス参照を少なくとも一部取り除くように更に構成される
ことを特徴とする送信器装置。
【請求項１１】
階層化通信モデルを用いてデータを受信する受信器装置であって、
第１エンティティに関連する第２エンティティを参照する第２アドレス参照を有すると共に
前記第１エンティティに対する第１アドレス参照を有する第１暗号法的保護された通信フラグメントに基づく
第２通信フラグメントを有するデータを受信するように構成され、
更に、前記第２通信フラグメントから前記第１通信フラグメントを取得するように構成される
受信器装置において、
前記第１アドレス参照が、受信される前記データにおいて少なくとも一部省かれ、
当該受信器装置が、前記第１通信フラグメントを取得する際に、前記第１アドレス参照を修復するように更に構成される
ことを特徴とする受信器装置。
【請求項１２】
階層化通信モデルを用いて通信を実行する送信器計算機プログラムであって、当該送信器計算機プログラムが、
第１層において、第１エンティティを参照する第１アドレス参照を有する第１暗号法的保護された通信フラグメントを発生するように構成され、
更に、前記第１層の下の第２層において、前記第１通信フラグメントに基づくと共に、前記第１エンティティに関連する第２エンティティを参照する第２アドレス参照を更に有する第２通信通信フラグメントを発生するように構成され、
更に、前記第２通信フラグメントを有するデータを送信するように構成される
送信器計算機プログラムにおいて、
当該送信器計算機プログラムが、前記送信データにおいて前記第１アドレス参照を省くように更に構成される
ことを特徴とする送信器計算機プログラム。
【請求項１３】
階層化通信モデルを用いて通信を実行する受信器計算機プログラムであって、
第１通信エンティティに関連する第２エンティティを参照する第２アドレス参照を有すると共に、
前記第１エンティティに対する第１アドレス参照を有する第１暗号法的保護された通信フラグメントに基づく
第２通信フラグメントを有するデータを受信するように構成され、
更に、前記第２通信フラグメントから前記第１通信フラグメントを取得するように構成され、ここで、
第１層においては、第１エンティティを参照する第１アドレス参照を有する第１通信フラグメントが発生され、
前記第１層の下の第２層においては、前記第１エンティティに関連する第２エンティティを参照する第２アドレス参照を有すると共に前記第１通信フラグメントに基づく第２通信フラグメントが発生される、
受信器計算機プログラムにおいて、
前記第１アドレス参照が、前記受信されたデータにおいて少なくとも一部省かれ、
当該受信器計算機プログラムが、前記第１通信フラグメントを取得する際に、前記第１アドレス参照を修復するように更に構成される
ことを特徴とする受信器計算機プログラム。
【手続補正２】
【補正対象書類名】明細書
【補正対象項目名】０００１
【補正方法】変更
【補正の内容】
【０００１】
本発明は、階層化通信モデルを用いてデータを送信する送信方法であって、第１エンティティを参照する第１アドレス参照を有する第１暗号法的保護された通信フラグメントを第１層に発生するステップと、第１通信フラグメントに基づくと共に更に前記第１エンティティと関連する第２エンティティを参照する第２アドレス参照を有する第２通信フラグメントを前記第１層の下の第２層に発生するステップと、前記第２通信フラグメントを有する送信データを送信するステップとを有する送信方法に関する。
【手続補正３】
【補正対象書類名】明細書
【補正対象項目名】０００２
【補正方法】変更
【補正の内容】
【０００２】
また本発明は、階層化通信モデルを用いてデータを受信する受信方法であって、第１エンティティに関連する第２エンティティを参照する第２アドレス参照を有し、且つ前記第１エンティティに対する第１アドレス参照を有する第１暗号法的保護された通信フラグメントに基づく第２通信フラグメントを有するデータを受信するステップと、前記第２通信フラグメントから前記第１通信フラグメントを取得するステップとを有するような受信方法にも関する。
【手続補正４】
【補正対象書類名】明細書
【補正対象項目名】０００３
【補正方法】変更
【補正の内容】
【０００３】
更に本発明は、階層化通信モデルを用いた通信に関するシステムであって、第１エンティティを参照する第１アドレス参照を有する第１暗号法的保護された通信フラグメントを第１層に発生するように構成され、前記第１通信フラグメントに基づき第２通信フラグメントを前記第１層の下の第２層において発生するように更に構成され、前記第１エンティティに関連する第２エンティティを参照する第２アドレス参照を更に有する送信器手段と、前記第２通信フラグメントを有するデータを送信するように構成される通信手段と、前記第２通信フラグメントを有するデータを受信するように構成されると共に更に前記第２通信フラグメントから前記第１通信フラグメントを取得するように構成される受信手段とを有するシステムに関する。
【手続補正５】
【補正対象書類名】明細書
【補正対象項目名】０００４
【補正方法】変更
【補正の内容】
【０００４】
更に本発明は、階層化通信モデルを用いてデータを送信する送信器装置であって、第１エンティティを参照する第１アドレス参照を有する第１暗号法的保護された通信フラグメントを第１層において発生するように構成され、更に、前記第１通信フラグメントに基づく第２通信フラグメントを前記第１層の下の第２層において発生するように構成され、更に、前記第１エンティティに関連する第２エンティティを参照する第２アドレス参照を有し、更に、前記第２通信フラグメントを有するデータを送信するように構成される送信器装置に関する。
【手続補正６】
【補正対象書類名】明細書
【補正対象項目名】０００５
【補正方法】変更
【補正の内容】
【０００５】
また本発明は、階層化通信モデルを用いてデータを受信する受信器装置であって、当該受信器装置が、第２通信フラグメントを有するデータを受信するように構成され、前記第２通信フラグメントが、第１エンティティに関連する第２エンティティを参照する第２アドレス参照を有し、前記第１エンティティに対する第１アドレス参照を有する第１暗号法的保護された通信フラグメントに基づき、更に前記第２通信フラグメントから前記第１通信フラグメントを取得するように構成されるような受信器装置にも関する。
【手続補正７】
【補正対象書類名】明細書
【補正対象項目名】０００６
【補正方法】変更
【補正の内容】
【０００６】
更に本発明は、階層化通信モデルに従い発生されるデータを担持する信号であって、前記データが、第１エンティティを参照する第１アドレス参照を有する第１暗号法的保護された通信フラグメントが発生される第１層と、前記第１通信フラグメントに基づく前記第１エンティティに関連する第２エンティティを参照する第２アドレス参照を有する第２通信フラグメントが発生される前記第１層の下の第２層とを有する階層化通信モデルに従い発生されるような信号に関する。
【手続補正８】
【補正対象書類名】明細書
【補正対象項目名】０００７
【補正方法】変更
【補正の内容】
【０００７】
更に本発明は、階層化通信モデルを用いて通信を実行する送信器計算機プログラムであって、送信器計算機プログラムが、第１エンティティを参照する第１アドレス参照を有する第１暗号法的保護された通信フラグメントを第１層において発生するように構成され、更に、前記第１通信フラグメントに基づく第２通信フラグメントを第１層の下の第２層において発生するように構成され、更に、前記第１エンティティに関連する第２エンティティを参照する第２アドレス参照を有し、更に、前記第２通信フラグメントを有するデータを送信するように構成される送信器計算機プログラムに関する。
【手続補正９】
【補正対象書類名】明細書
【補正対象項目名】０００８
【補正方法】変更
【補正の内容】
【０００８】
また本発明は、階層化通信モデルを用いて通信を実行する受信器計算機プログラムであって、当該受信器計算機プログラムが、第１エンティティに関連する第２エンティティを参照する第２アドレス参照を有すると共に前記第１エンティティに対する第１アドレス参照を有する第１暗号法的保護された通信フラグメントに基づく第２通信フラグメントを有するデータを受信するように構成され、更に、前記第２通信フラグメントから前記第１通信フラグメントを取得するように構成され、ここで、第１層においては、第１エンティティを参照する第１アドレス参照を有する第１通信フラグメントが発生され、前記第１層の下の第２層においては、前記第１エンティティに関連する第２エンティティを参照する第２アドレス参照を有すると共に前記第１通信フラグメントに基づく第２通信フラグメントが発生される受信器計算機プログラムにも関する。
【手続補正１０】
【補正対象書類名】明細書
【補正対象項目名】００１０
【補正方法】変更
【補正の内容】
【００１０】
本発明の目的は、物理的フレームのサイズが低減される一方で、包含される情報がほぼ維持される送信方法、及びその暗号法的保護を提供することである。
【手続補正１１】
【補正対象書類名】明細書
【補正対象項目名】００１１
【補正方法】変更
【補正の内容】
【００１１】
この目的は、送信されるデータにおける第１アドレス参照を少なくとも一部取り除くステップを更に有し、且つ暗号法的保護が、前記第１アドレス参照が少なくとも一部取り除かれる前に、前記第１通信フラグメントに関して提供されることを特徴とする本発明による送信方法によって実現される。
【手続補正１２】
【補正対象書類名】明細書
【補正対象項目名】００１２
【補正方法】変更
【補正の内容】
【００１２】
この方法は、第１アドレス参照が省かれる第１通信フラグメントの保護を扱う。フレームを暗号法的に保護することを所望する特定の層は、各々のフレームに関してメッセージ完全性符号（ＭＩＣ）を発生し得る。任意のストリングにおけるＭＩＣは、例えば、ＣＢＣ−ＭＡＣモードにおけるブロック暗号（Ａｌｆｒｅｄ  Ｊ．  Ｍｅｎｅｚｅｓ，Ｐａｕｌ  Ｃ．  ｖａｎ  Ｏｏｒｓｃｈｏｔ，Ｓｃｏｔｔ  Ａ．  Ｖａｎｓｔｏｎｅ，Ｈａｎｄｂｏｏｋ  ｏｆ  Ａｐｐｌｉｅｄ  Ｃｒｙｐｔｏｇｒａｐｈｙ，３５３ページを参照）を用いて発生され得る。フレーム保護の場合、ＣＢＣ−ＭＡＣへの入力は、保護されるべきフレームになり、可能であればフレームの長さを示す数を接頭子として付けられる。ＭＩＣが決定された後、ＭＩＣは、フレームが送信される前にフレームペイロードに加えられる。
【手続補正１３】
【補正対象書類名】明細書
【補正対象項目名】００１５
【補正方法】変更
【補正の内容】
【００１５】
本発明による方法の一実施例は、請求項２に記載される。この実施例は、通信層における１つのレベルにおいてのみ暗号法的保護が加えられ、これによりオーバーヘッドが低減されるという有利な点を有する。
【手続補正１４】
【補正対象書類名】明細書
【補正対象項目名】００１６
【補正方法】変更
【補正の内容】
【００１６】
本発明による方法の一実施例は、請求項３に記載される。この実施例は、各々メッセージが、１つのフレームに納まるのに通常十分短い（すなわち、各々のレベルにおけるメッセージが最大許容ペイロードより小さい）ような実施例において、演算を開始のレベルである可能最高位レベルにおいて実行することによって、ＭＩＣを加えるオーバーヘッドが最小化されるという有利な点を有する。
【手続補正１５】
【補正対象書類名】明細書
【補正対象項目名】００１７
【補正方法】変更
【補正の内容】
【００１７】
本発明による方法の一実施例は、請求項４に記載される。省かれるべき複写情報は、省かれたデータが見つけられ得る場所を示す、より短いフィールドによって置き換えされる。
【手続補正１６】
【補正対象書類名】明細書
【補正対象項目名】００１８
【補正方法】変更
【補正の内容】
【００１８】
本発明の更なる目的は、物理的フレームのサイズが低減される一方で、包含される情報をほぼ維持する受信方法、及びその暗号法的保護を提供することである。
【手続補正１７】
【補正対象書類名】明細書
【補正対象項目名】００１９
【補正方法】変更
【補正の内容】
【００１９】
この目的は、第１アドレス参照が、受信されたデータにおいて少なくとも一部省かれることを特徴とする本発明による受信方法であって、当該受信方法が、更に、第１通信フラグメントを取得する際に第１アドレス参照を修復するステップを有し、且つ前記第１通信フラグメントの暗号法的保護が、前記第１アドレス参照が取得された後に確認される、本発明による受信方法によって実現される。
【手続補正１８】
【補正対象書類名】明細書
【補正対象項目名】００２０
【補正方法】変更
【補正の内容】
【００２０】
本発明による受信方法の更なる実施例は、請求項６、７及び８に記載される。これらの実施例は、上記の実施例に補足するものである。